(57)【要約】      （修正有）【課題】電動ベッド、椅子が多段に湾曲し押し上げられ、使用者の使用上の快適性を増加させる連動構造を提供する。【解決手段】電動ベッド、椅子の単駆動源連動構造は、押上装置１０からなり、押上装置は第一、第二、第三連接部材を連結してなる板体で、第一連接部材１１は固定孔を穿設し、第二連接部材１２は二片の当接部１６を設け、当接部にはスライド溝を穿設する。第三連接部材１３には二片の押動部１７を設け、押動部には回転孔を穿設する。駆動手段両端は位置決め部と伸縮棒を設置し、位置決め部は固定孔を枢設する。伸縮棒はスライド溝に設置される。連動棒は第一孔部と第二孔部を穿設し、第一孔部と駆動手段の貫通孔は制御軸により枢設され、制御軸は第二連接部材のスライド溝で滑動する。第二孔部と回転孔は枢設を形成し、上述のような構造により、押上装置が多段に湾曲して押し上げられるので、使用上の快適性を増加させることができる。【選択図】図２
0003157217.tif 000002
【実用新案登録請求の範囲】
【請求項１】
電動ベッド、椅子の単駆動源連動構造であって、
第一連接部材、第二連接部材及び第三連接部材を連結してなる板体で、前記第一連接部材及び第二連接部材間は、可動部により枢設され、且つ、前記第二連接部材及び第三連接部材間は、回転部により枢設され、前記第一連接部材には固定孔を穿設し、前記第二連接部材には、前記第一連接部材に近接する箇所に外方に向かって当接部を設け、前記当接部にはスライド溝を穿設し、前記第三連接部材は、前記第二連接部材に近接する箇所に、外方に向かって押動部を設け、前記当接部には回転孔を穿設してなる押上装置と、
一端は位置規制部を設置し、もう一端は伸縮棒を取り付け、前記位置規制部は、挿入軸により穿設されると共に、前記第一連接部材の前記固定孔に枢設され、且つ、前記伸縮棒末端は貫通孔を穿設し、前記貫通孔により前記第二連接部材のスライド溝に設置されてなる駆動手段と、
一端には第一孔部を設置し、もう一端には第二孔部を穿設し、前記第一孔部と前記駆動手段の貫通孔は、制御軸により枢設され、且つ、前記制御軸は、前記第二連接部材のスライド溝で滑動し、前記第二孔部と前記第三連接部材の回転孔は、回転軸により枢設され、前記駆動手段により押動されて、多段式の湾曲動作を作動する連動棒と、
からなることを特徴とする電動ベッド、椅子の単駆動源連動構造。
【請求項２】
前記押上装置の固定孔、当接部、押動部は、相同方向に設置され、且つ、前記当接部のスライド溝は前記第二連接部材と平行状に穿設されてなることを特徴とする請求項１に記載の電動ベッド、椅子の単駆動源連動構造。  
【請求項３】
前記駆動手段は電動モーター装置であることを特徴とする請求項１に記載の電動ベッド、椅子の単駆動源連動構造。
【請求項４】
前記駆動手段は気圧装置であることを特徴とする請求項１に記載の電動ベッド、椅子の単駆動源連動構造。
【請求項５】
前記駆動手段は油圧装置であることを特徴とする請求項１に記載の電動ベッド、椅子の単駆動源連動構造。
【請求項６】
前記第三連接部材と前記押動部の間に押動棒を設置し、且つ、前記押動棒と前記押動部の間に枢転部を形成し、前記押動部が前記第三連接部材の外側端を連動することができることを特徴とする請求項１に記載の電動ベッド、椅子の単駆動源連動構造。
【考案の詳細な説明】
【技術分野】
【０００１】
本考案は、電動ベッド、椅子の単駆動源連動構造に関するものであって、特に、多段に湾曲して押上げ連動構造に関するものである。
【背景技術】
【０００２】
従来の電動ベッド構造は、上床板、固定床板、及び下床板に分けられ、使用者が頭部を持ち上げるように調整したい場合、上床板は、固定床板との連接箇所を軸心として回動し、これにより、上床板と固定床板間が湾曲して押し上げられる。また、脚を下ろすように調整したい場合、下床板も同様に、固定床板の端部を軸心として回動させ、これにより、下床板と固定床板間の湾曲変化が生ずる。
【０００３】
前記のような従来の構造において、電動ベッドは上床板か下床板だけを制御して、単一回転軸の湾曲動作しかできず、湾曲形態が単一であり、快適性が十分得られないという問題があった。
【０００４】
かかる状況下において、電動ベッドの床傾斜調整装置が提案されている（実用新案登録第３１５５５５３号公報）。しかし、かかる提案によっても、一つの電動モーターにより前後二つの床面の昇降を制御する構造のものであり、昇降可能な二つの床面を有しているが、多段に湾曲して押し上げる構造ではなく快適性については十分ではなかった。  
【特許文献１】実用新案登録第３１５５５５３号公報
【考案の開示】
【考案が解決しようとする課題】
【０００５】
従って、本考案の課題は、多段式に湾曲する連動構造を用いることにより、従来の電動ベッド、椅子の快適性不足の改善可能な電動ベッド、椅子を提供する点にある。
【課題を解決するための手段】
【０００６】
そこで、本考案者は、本考案の前記課題を解決するため鋭意検討を重ねた結果、電動ベッド、椅子の構造として後記する如く単駆動源により多段式に湾曲可能な押上げ連動構造を見い出し、かかる知見に基いて本考案の完成に想到した。
【０００７】
すなわち、前記の課題を達成するため、本考案の電動ベッド、椅子の単駆動源連動構造は、押上装置からなり、押上装置は、第一、第二及び第三連接部材を連結してなる板体で、第一連接部材は固定孔を穿設し、第二連接部材は第一連接部材に近接して外向けに当接部を設け、且つ、当接部にはスライド溝を穿設する。駆動手段は制御軸を押動してスライド溝内で滑動し、制御軸が前端部内壁に当止しない場合、第三連接部材が湾曲し、更なる押動が進む場合、第二連接部材が多段に湾曲して押し上げられるので、使用者の使用上の快適性が増加する。
【０００８】
かくして、本考案によれば、請求項１において、
電動ベッド、椅子の単駆動源連動構造であって、
第一連接部材、第二連接部材及び第三連接部材を連結してなる板体で、前記第一連接部材、第二連接部材間は、可動部により枢設され、且つ、前記第二連接部材、第三連接部材間は、回転部により枢設され、前記第一連接部材には固定孔を穿設し、前記第二連接部材には、前記第一連接部材に近接する箇所に外方に向かって当接部を設け、前記当接部にはスライド溝を穿設し、前記第三連接部材は、前記第二連接部材に近接する箇所に、外方に向かって押動部を設け、前記押動部には回転孔を穿設する押上装置と、
一端には位置決め部を設置し、もう一端には伸縮棒を取り付け、前記位置決め部は、挿入軸により穿設されると共に、前記第一連接部材の前記固定孔に枢設され、且つ、前記伸縮棒末端は貫通孔を穿設し、前記貫通孔により前記第二連接部材のスライド溝に設置される駆動手段と、
一端には第一孔部を設置し、もう一端には第二孔部を穿設し、前記第一孔部と前記駆動手段の貫通孔は、制御軸により枢設され、且つ、前記制御軸は前記第二連接部材のスライド溝で滑動し、前記第二孔部と前記第三連接部材の回転孔は、回転軸により枢設され、前記駆動手段により押動されて、多段式の湾曲動作を行なう連動棒と、
からなることを特徴とする電動ベッド、椅子の単駆動源連動構造
が提供される。
【０００９】
請求項２に係る考案によれば、
前記押上装置の固定孔、当接部、押動部は、相同方向に設置され、且つ、前記当接部のスライド溝は前記第二連接部材と平行状に穿設されてなることを特徴とする請求項１に記載の電動ベッド、椅子の単駆動源連動構造
が提供される。
【００１０】
請求項３に係る考案によれば、
前記駆動手段は電動モーター装置であることを特徴とする請求項１に記載の電動ベッド、椅子の単駆動源連動構造
が提供される。
【００１１】
請求項４に係る考案によれば、
前記駆動手段は気圧装置であることを特徴とする請求項１に記載の電動ベッド、椅子の単駆動源連動構造
が提供される。
【００１２】
請求項５に係る考案によれば、
前記駆動手段は油圧装置であることを特徴とする請求項１に記載の電動ベッド、椅子の単駆動源連動構造
が提供される。
【００１３】
請求項６に係る考案によれば、
前記第三連接手段と前記押動部の間に押動棒を設置し、且つ、前記押動棒と前記押動部の間に枢転部を形成し、前記押動部が前記第三連接部材の外側端を連動することができることを特徴とする請求項１に記載の電動ベッド、椅子の単駆動源連動構造
が提供される。
【考案の効果】
【００１４】
本考案により、電動ベッド、椅子が多段に湾曲し押上げられるので、使用者の使用上の快適性を増加させることができる。
【考案を実施するための形態】
【００１５】
以下、本考案について、図面に従い具体的に説明する。もっとも、本考案は、これらの実施形態に限定されるものではない。
【００１６】
本考案の電動ベッド、椅子の単駆動源連動構造は、図１及び図２で示すように、押上装置１０、駆動手段２０、及び連動棒３０を組み合わせてなるものである。
【００１７】
押上装置１０は、第一連接部材１１、第二連接部材１２、第三連接部材１３を連結してなる板体である。第一連接部材１１及び第二連接部材１２間は、可動部１４により枢設され、且つ、第二連接部材１２及び第三連接部材１３間は、回転部１５により枢設される。
【００１８】
第一連接部材１１には固定孔１１１を穿設し、第二連接部材１２には、第一連接部材１１に近接する箇所に外方に向かって二片の当接部１６を設ける。当接部１６にはスライド溝１６１を穿設する。スライド溝１６１は長方形の溝孔で、両端に、それぞれ、前端部内壁１６２と後端部内壁１６３を形成してある。第三連接部材１３は、第二連接部材１２に近接する箇所に、外方に向かって二片の押動部１７を設け、押動部１７には回転孔１７１を穿設する。押上装置１０の固定孔１１１、当接部１６、及び押動部１７は相同方向に設置され、且つ、当接部１６のスライド溝１６１は第二連接部材１２と平行状に穿設される。
【００１９】
駆動手段２０は電動モーター装置で、気圧装置や油圧装置でもよい。駆動手段２０の一端には位置決め部２１を設置し、もう一端には伸縮棒２２を結合してある。位置決め部２１は、挿入軸２１１により穿設されると共に、第一連接部材１１の固定孔１１１に枢設され、且つ、伸縮棒２２末端には貫通孔２２１を穿設し、貫通孔２２１により、伸縮棒２２は、第二連接部材１２のスライド溝１６１に設置される。
【００２０】
連動棒３０の一端には第一孔部３１を穿設し、もう一端には第二孔部３２を穿設する。連動棒３０の第一孔部３１と駆動手段２０の貫通孔２２１は、制御軸３３により枢設され、且つ、制御軸３３は、第二連接部材１２のスライド溝１６１内で滑動する。第二孔部３２と第三連接部材１３の回転孔１７１は、回転軸３４により枢設され、駆動手段２０が連動棒３０を押動して、押上装置１０が多段式の湾曲動作により作動する。
【００２１】
本考案に係る単駆動源運動構造の組み合わせによれば、図１〜図３に示すように、押上装置１０は、第一、第二、第三連接部材１１、１２、１３を配列し、連結してなる。
【００２２】
第一連接部材１１と第二連接部材１２の間は、可動部１４により回転可能に枢設し、第二連接部材１２と第三連接部材１３の間は、回転部１５により回転可能に枢設してある。また、押上装置１０の固定孔１１１、当接部１６、回転孔１７１は同一方向に設置されて、駆動手段２０により固定孔１１１と当接部１６間を連接できる。
【００２３】
連動棒３０は当接部１６と押動部１７間に連接され、駆動手段２０の位置決め部２１は第一連接部材１１の固定孔１１１端に結合され、挿入軸２１１により穿設されて、枢設する。
【００２４】
連動棒３０の第二孔部３２は二片の押動部１７の間に設置され、且つ、回転軸３４により第二孔部３２と回転孔１７１を穿過する。駆動手段２０の貫通孔２２１端と連動棒３０の第一孔部３１端は、第二連接部材１２の二片の当接部１６間に設置されて、制御軸３３が貫通孔２２１と第一孔部３１を穿設して、スライド溝１６１内に滑設され、制御軸３３が前端部内壁１６２と後端部内壁１６３間で滑移動作を実行することができ、上述の構造により、構造の組み合わせが完成する。
【００２５】
実際の作動状況は、図２、図３〜図５で示されるように、駆動手段２０の伸縮棒２２を外に伸長させる場合、駆動手段２０は第一連接部材１１の固定孔１１１端により単点固定を形成すると共に、伸縮棒２２を伸長させ、貫通孔２２１で制御軸３３を押動し、制御軸３３が、スライド溝１６１の後端部内壁１６３から前端部内壁１６２端に向かって滑移し、制御軸３３が滑移する範囲内で、連動棒３０の第一孔部３１端は制御軸３３の帯動を受けて、第二孔部３２方向に推移し、連動棒３０が第三連接部材１３の当接部１７端を押動し、第三連接部材１３が回転部１５を軸心として湾曲状に傾斜し、この時、第二連接部材１２は未動作状態を維持する。
【００２６】
また、駆動手段２０が押動する制御軸３３がスライド溝１６１の前端部内壁１６２で当止する時、制御軸３３は駆動手段２０の推力により、直接、第二連接部材１２の当接部１６を押動し、第二連接部材１２が可動部１４を軸心として傾斜する。
【００２７】
連動棒３０が制御軸３３で前端部内壁１６２を当止する場合には、連接部材１２と第三連接部材１３間で湾曲変化が生じない。
【００２８】
上述により、湾曲動作はまず、第三連接部材１３を帯動して湾曲し、次に、第二連接部材１２を帯動して湾曲することにより、多段式の湾曲を達成することができる。
【００２９】
図２と図６で示されるように、本考案は、電動ベッド４０と電動椅子に応用し、主に、多段に湾曲変化させることができる。使用者が上半身か下半身を上げたい場合、使用者の頭部又はふくらはぎ部位は、まず、上半身か太ももの部分から上昇させるので、電動ベッド４０と電動椅子の形態変換時の快適性を増加させることができる。
【００３０】
図７を参照し、本考案に係る単駆動源構造の使用状態を説明する。図７は電動ベッドに応用する上半部の傾斜動作を示す図である。押上装置１０は、第一連接部材１１により電動ベッド４０のフレーム４１に固定され、一端に第二連接部材１２と第三連接部材１３を連結する。駆動手段２０が第一、第二連接部材１1、１２間に連結され、且つ、連動棒３０が第二、第三連接部材１２、１３間に連結される。
【００３１】
駆動手段２０が推力を生成するとき、第三連接部材１３がまず湾曲し、その後、第二連接部材１２を連動して湾曲させ、これにより、多段式湾曲動作を行なう。かかる使用状態において、使用者の頭部を上昇させ、更に、上半身を起こすことにより、その快適性を増加させることができる。
【００３２】
図８は、電動ベッドに応用する下半身の傾斜動作を示す図である。押上装置１０は、第一連接部材１１により電動ベッド４０のフレーム４１に固定し、一端に第二連接部材１２と第三連接部材１３を連結し、駆動手段２０が第一、第二連接部材１１、１２間に連接され、且つ、連動棒３０は、第二、第三連接部材１２、１３間に連結される。
【００３３】
また、第三連接部材１３と当接部１７間に、押動棒１８を設置し、且つ、押動棒１８と当接部１７の間に枢転部１８１を形成し、押動部１７は第三連接部材１３の外側端を連動し、同様に、これにより、多段式湾曲動作を生成すると共に、まず、使用者のふくらはぎ部分を上昇させ、次に、太もも部分を起こし、その快適性を増加させる。
【００３４】
前記の具体例の構造により、以下のような効果が達成される。駆動手段２０は制御軸３３をスライド溝１６１内で滑動させ、制御軸３３が前端部内壁１６２を当止しない時、第三連接部材１３により湾曲を生成し、また、更なる押動の際、第二連接部材１２が湾曲を生成して、これにより、押上装置１０が多段式の湾曲変化を起こし、使用者の使用上の快適性を増加させることができる。
【００３５】
本考案では好ましい実施例を前述の通り開示したが、本考案は、これらに限定されるものではない。
【図面の簡単な説明】
【００３６】
【図１】本考案の一実施形態による電動ベッド、椅子の単駆動源連動構造の斜視図である。
【図２】本考案の一実施形態による電動ベッド、椅子の単駆動源連動構造の分解斜視図である。
【図３】本考案の一実施形態による単駆動源連動構造の当接動作(１)を示す側面図である。
【図４】本考案の一実施形態による単駆動源連動構造の当接動作(２)を示す側面図である。
【図５】本考案の一実施形態による単駆動源連動構造の当接動作を示す側面図である。
【図６】本考案の一実施形態による単駆動源連動構造をベッドに応用した実施状態の斜視図である。
【図７】本考案の一実施形態による単駆動源連動構造を電動ベッドに応用した上半身部位の傾斜動作を示す側面図である。
【図８】本考案の一実施形態による単駆動源連動構造の電動ベッドに応用した下半身部位の傾斜動作を示す側面図である。
【符号の説明】
【００３７】
押上装置      １０
第一連接部材  １１
固定孔        １１１
第二連接部材  １２
第三連接部材  １３
可動部        １４
転動部        １４
当接部        １６
スライド溝    １６１
前端部内壁    １６２
後端部内壁    １６３
押動部        １７
回転孔        １７１
押動棒        １８
枢転部        １８１
駆動手段      ２０
位置決め部    ２１
挿入軸        ２１１
伸縮棒        ２２
貫通孔        ２２１
連動棒        ３０
第一孔部      ３１
第二孔部      ３２
制御軸        ３３
回転軸        ３４
電動ベッド    ４０
フレーム      ４１
【図１】
0003157217.tif 000003
【図２】
0003157217.tif 000004
【図３】
0003157217.tif 000005
【図４】
0003157217.tif 000006
【図５】
0003157217.tif 000007
【図６】
0003157217.tif 000008
【図７】
0003157217.tif 000009
【図８】
0003157217.tif 000010